(57)【要約】【課題】軽量化、コンパクト化に優れているとともに省資源性、経済性に優れ、かつ、薄く小型で携帯性に優れるメガネ収納ケースを提供する。【解決手段】（ｉ）．前記メガネ収納ケースが、メガネを収納するケース本体（１）と収納されたメガネの抜けを防止するメガネ固定バンド（２）で構成されるとともに、（ｉｉ）．　前記ケース本体（１）が、メガネ挿入用開口部（Ｏ）を有するように前枠部（１１）と後枠部（１２）を連接させて構成したメガネ収納部から成り、かつ、（ｉｉｉ）．前記メガネ固定バンド（２）が、前記ケース本体（１）の幅方向中央部において前記前枠部（１１）と後枠部（１２）の間に開閉自在に誇設されたものから成る、ことを特徴とする軽量かつコンパクトなメガネ収納ケース。【選択図】　図２
2004081811.tif 000002
【特許請求の範囲】
【請求項１】
メガネのテンプルを折畳んだ状態で収納するためのメガネ収納ケースにおいて、
（ｉ）．前記メガネ収納ケースが、メガネを収納するケース本体（１）と収納されたメガネの抜けを防止するメガネ固定バンド（２）で構成されるとともに、
（ｉｉ）．　前記ケース本体（１）が、メガネ挿入用開口部（Ｏ）を有するように前枠部（１１）と後枠部（１２）を連接させて構成したメガネ収納部から成り、かつ、
（ｉｉｉ）．前記メガネ固定バンド（２）が、前記ケース本体（１）の幅方向中央部において前記前枠部（１１）と後枠部（１２）の間に開閉自在に誇設された
ものから成る、
ことを特徴とする軽量かつコンパクトなメガネ収納ケース。
【請求項２】
ケース本体が、
１）．左右レンズが収納する部位の断面形状がＵ字型のメガネ収納部で構成され、かつ、
２）．左右レンズが収納する部位の前枠部（１１）の高さ（ｄ１）と後枠部（１２）の高さ（ｄ２）が、略同一であるメガネ収納部で構成されたもの、である請求項１に記載の軽量かつコンパクトなメガネ収納ケース。
【請求項３】
ケース本体（１）が、
１）．左右レンズが収納する部位の断面形状が逆Ｊ字型のメガネ収納部で構成され、かつ、
２）．左右レンズが収納する部位の前枠部（１１）の高さ（ｄ１）と後枠部（１２）の高さ（ｄ２）が、（ｄ１）＞（ｄ２）の関係にあるメガネ収納部で構成されたもの、
である請求項１に記載の軽量かつコンパクトなメガネ収納ケース。
【請求項４】
メガネが、左右レンズ、左右レンズ固定フレーム、前記固定フレームの連結ブリッジ、前記固定フレームに折畳み自在に配設されたテンプル、から成るものである請求項１に記載の軽量かつコンパクトなメガネ収納ケース。
【請求項５】
メガネが、左右レンズ、前記左右レンズを連結する連結ブリッジ、前記左右レンズに直接に折畳み自在に配設されたテンプル、から成るものである請求項１に記載の軽量かつコンパクトなメガネ収納ケース。
【請求項６】
ケース本体（１）が、合成樹脂製である請求項１に記載の軽量かつコンパクトなメガネ収納ケース。
【請求項７】
後枠部（１２）の高さ（ｄ２）が、折畳まれたテンプルの部　位の全てを覆う高さのものである請求項３に記載の軽量かつコンパクトなメガネ収納ケース。
【請求項８】
後枠部（１２）の高さ（ｄ２）が、折畳まれたテンプルの部　位の一部のみを覆う高さのものである請求項３に記載の軽量かつコンパクトなメガネ収納ケース。
【請求項９】
ケース本体（１）が、その幅方向中央部において、前枠部（１１）と後枠部（１２）の間にケース本体（１）の潰れを防止するスペーサ（Ｓ）を有するものである請求項１に記載の軽量かつコンパクトなメガネ収納ケース。
【請求項１０】
収納されたメガネの左右レンズが当接する前枠部（１１）の裏面が、パッド材で裏打ちされたものである請求項１に記載の軽量かつコンパクトなメガネ収納ケース。
【請求項１１】
メガネ固定バンド（２）が、ケース本体（１）に一体的に配設されたものであるか、または別体として配設されたものである請求項１に記載の軽量かつコンパクトなメガネ収納ケース。
【請求項１２】
メガネ固定バンド（２）が、一端部がケース本体（１）の後枠部（１２）に配設されるとともに、他端部が後枠部（１２）の底部から前枠部（１１）の上部、更に後枠部（１２）へ周設されるものである請求項１１に記載の軽量かつコンパクトなメガネ収納ケース。
【発明の詳細な説明】
【０００１】
【発明の属する技術分野】
本発明は、メガネ（眼鏡）やサングラス（以下、単にメガネという。）の収納ケースに関する。
更に詳しくは、本発明は、軽量化、コンパクト化に優れているとともに省資源性、経済性に優れ、かつ、薄く小型で携帯性に優れるメガネ収納ケースに関する。
【０００２】
【従来の技術】
メガネを収納するケースとして、種々のものが提案されている。
例えば、上下蓋体をヒンジ部を介して略１８０度開成するタイプのケースにメガネ全体を収納するもの（特開２００１−９５６１５）、また、所定箇所に切り込みと折り目線を形成したプラスチックプレートを利用するとともに二つの折曲線を組み合わせてケースとし、これにメガネ全体を収納するもの（特開２０００−６０６２２）、あるいは、布製の袋状ケースにメガネ全体を出入れ自在に収納したりするもの（特開平９−２９４６１９）、などが提案されている。
【０００３】
従来から提案されているメガネ収納ケースは、ケース自体の材質が金属製であったり金属板に合成樹脂を被覆したりしたもので構成されるため軽量性に欠けていたり、あるいはプラスチック製にして軽量化を図ったものでもメガネ全体を包囲（外包）して収納するため嵩張るためコンパクト性に欠けている。
また、折畳んだメガネのメガネ収納ケースへの収納（装着）あるいはメガネ収納ケースからの取出しが不便であったり、あるいはケース自体の構造強度が低くメガネを破損させるという欠点がある。
【０００４】
【発明が解決しようとする課題】
本発明は、従来のメガネ収納ケースにみられる前記した欠点を解消すべく創案されたものである。
本発明者は、前記した従来のメガネ収納ケースの欠点を解消すべく鋭意検討した。
その結果、本発明者は、メガネ全体を包囲（外包）して収納するという従来方式を採用せず、メガネ収納ケースを折畳んだメガネを収納する（及び取り出す）ための開口部を有する収納部本体と収納されたメガネの飛び出しを防止するメガネ固定バンドで構成したとき、メガネの破損の防止はもとより、軽量化、コンパクト化などの諸特性に優れたメガネ収納ケースが得られる、という知見を見い出した。
【０００５】
更にまた、本発明者は、前記収納部本体の左右レンズを収納する部位において、レンズ前面部の全体的保護及びレンズ後端部の一部保護という考え方を採用したとき、具体的には収納部本体の前枠部（前面部）の高さに対して後枠部（後面部）の高さを低いものにしたとき、メガネの破損の防止はもとより、軽量化、コンパクト化などの諸特性に優れたメガネ収納ケースが得られる、という知見を見い出した。
【０００６】
本発明は、前記した知見をベースにして完成されたものである。
本発明により、軽量かつコンパクトであり、即ち薄く軽量でしかも小型であり、かつ携帯性に優れ上着、ワイシャツ、ズボンなどのポケットに入れても嵩張らないとともにポケットへの出し入れがし易く、更には、メガネの収納ケースへの収納および取出しの利便性やメガネの耐破損性（安全性）に優れる経済的なメガネ収納ケースが提供される。
【０００７】
【課題を解決するための手段】
本発明を概説すれば、本発明は、メガネのテンプルを折畳んだ状態で収納するためのメガネ収納ケースにおいて、
（ｉ）．前記メガネ収納ケースが、メガネを収納するケース本体（１）と収納されたメガネの抜けを防止するメガネ固定バンド（２）で構成されるとともに、
（ｉｉ）．　前記ケース本体（１）が、メガネ挿入用開口部（Ｏ）を有するように前枠部（１１）と後枠部（１２）を連接させて構成したメガネ収納部から成り、かつ、
（ｉｉｉ）．前記メガネ固定バンド（２）が、前記ケース本体（１）の幅方向中央部において前記前枠部（１１）と後枠部（１２）の間に開閉自在に誇設されたものから成る、
ことを特徴とする軽量かつコンパクトなメガネ収納ケースに関するものである。
【０００８】
特に、本発明は、前記ケース本体（１）に注目すれば、ケース本体（１）が、
１）．左右レンズが収納する部位の断面形状がＵ字型のメガネ収納部で構成され、かつ、
２）．左右レンズが収納する部位の前枠部（１１）の高さ（ｄ１）と後枠部（１２）の高さ（ｄ２）が、略同一であるメガネ収納部で構成されたもの、という特徴を有する軽量かつコンパクトなメガネ収納ケースに関するものである。
【０００９】
更にまた、本発明は、前記ケース本体（１）に注目すれば、ケース本体（１）が、
１）．左右レンズが収納する部位の断面形状が逆Ｊ字型のメガネ収納部で構成され、かつ、
２）．左右レンズが収納する部位の前枠部（１１）の高さ（ｄ１）と後枠部（１２）の高さ（ｄ２）が、（ｄ１）＞（ｄ２）の関係にあるメガネ収納部で構成されたもの、
という特徴と有する軽量かつコンパクトなメガネ収納ケースに関するものである。
【００１０】
【発明の実施の態様】
以下、本発明の技術的構成及び実施態様を図面を参照して詳しく説明する。
なお、本発明は図示のものに限定されないことはいうまでもないことである。
【００１１】
図１〜図２は、本発明のメガネ収納ケース（Ａ）の第１実施態様を説明する図である。
また、図１７〜図１８は、本発明のメガネ収納ケース（Ａ）に収納される従来周知のメガネ（３）の一部斜視図である。
【００１２】
本発明のメガネ収納ケース（Ａ）に収納されるメガネ（３）の形状や構造は、図１７〜図１８に示されるものに限定されない。
図１７に示されるメガネ（３）は、左右レンズ（３０、３０）、左右レンズ固定フレーム（３１、３１）、前記固定フレーム（３１、３１）の連結ブリッジ（３２）、前記固定フレーム（３１、３１）に折畳み自在に配設された左右テンプル（３３、３３）、から構成されている。
なお、図１７には、左右テンプル（３３、３３）の−端部には、テンプル本体を耳部に係止させる左右先セル（３３１、３３１）、メガネの鼻部における受部材、即ち左右鼻当パッド（３４、３４）も示されている。
なお、前記メガネ（３）において、左右レンズ固定フレーム（３１、３１）は、図１７のように左右レンズ（３０、３０）の全周を縁取る形式のものでなく、その一部を縁取るタイプのものであってもよいことはいうまでもない。
【００１３】
図１８に示されるメガネ（３）は、前記図１７に示されるものと比較して大きく異なる点は、左右レンズ（３０、３０）を固定するための左右レンズ固定フレーム（３１、３１）を省略し、かつ、テンプル（３３、３３）及びブリッジ（３２）を左右レンズ（３０、３０）に直接、配設している点にある。
本発明のメガネ収納ケース（Ａ）に収納されるメガネ（３）の形状、構造は、前記図１７〜図１８のものは単なる例示であると解すべきであり、これらに限定されるものではない。
【００１４】
本発明のメガネ収納ケース（Ａ）の第１実施態様に関する図１〜図２は、それぞれ次のことを示している。
１）．図１は、本発明の第１実施態様のメガネ収納ケース（Ａ）の全体斜視図
を示す。
２）．図２は本発明の第１実施態様のメガネ収納ケース（Ａ）に折畳まれたメガネ（３）を収納した状態であって、かつ、その幅方向中央部の断面図を示す。
【００１５】
図１〜図２に示されるように本発明の第１実施態様のメガネ収納ケース（Ａ）は、
１）．ケース本体（１）が、メガネ挿入用（及び取出し用）開口部（Ｏ）を有するとともに、左右レンズ（３０，３０）が収納する部位の断面形状がＵ字型であるメガネ収納部からなり、かつ、
２）．その前枠部（１１）と後枠部（１２）の高さ（ｄ１　，ｄ２　）が、略同一に（ｄ１　＝ｄ２　）に構成され、また、
３）．メガネ固定バンド（２）が、ベルベット式ファスナーであって、その一端部が後枠部（１２）の幅方向中央部の外壁面に固定されるとともに、前枠部（１１）の対応する位置に配設されたファスナーの係止部（２１）とで構成される、点に特徴を有する。
【００１６】
本発明の第１実施態様のメガネ収納ケース（Ａ）は、前記したように前枠体（１１）の高さ（ｄ１　）と後枠体（１２）の高さ（ｄ２）が略同一（ｄ１　＝ｄ２　）　であるため、後述する第２実施態様のもの（ｄ１　＞ｄ２　）と比較して軽量化の点で少し劣るが、メガネのメガネ収納ケース（Ａ）への挿入態様が自由であるため、即ち、レンズ（３０，３０）を前側にして挿入しようが後側にして挿入してもよいため、利便性が優れている。
【００１７】
本発明において、前記第１実施態様のメガネ収納ケース（Ａ）には、種々の変形例が可能である。
例えば、
１）．前枠体（１１）及び後枠体（１２）の幅方向中央部に後述する第２実施
態様のように凹部（１１１）を形成したり、あるいは、
２）．メガネ固定バンド（２）を後述する第２実施態様のように前枠部（１１）と一体化して形成したりしても良く、種々の変形例が可能である。
なお、本発明において、前記した断面形状がＵ字型という用語は、Ｖ字型を含むように広く解釈されるべきである。
【００１８】
本発明のメガネ収納ケース（Ａ）の第２実施態様に関する図３〜図６は、それぞれ次のことを示している。
１）．図３は、テンプル（３３）が折畳まれたメガネ（３）がメガネ収納ケース（Ａ）に収納されたときの、メガネレンズ（３０）の裏面側からみた正面図である。
２）．図４は、図３と実質的に同じ正面図である。即ち、図４は、収納されたメガネ（３）の図示はその要部にとどめ、本発明のメガネ収納ケース（Ａ）の具体的構成をより明確に説明している図である。
３）．図５は、図４のＩ−Ｉ線断面図である。
４）．図６は、メガネ（３）を収納した状態（レンズ部のみが点線で示されている。）をメガネ収納ケース（Ａ）の後枠部（１２）の側からみた全体斜視図である。
【００１９】
図３〜図６に示されるように、本発明の第２実施態様のメガネ収納ケース（Ａ）は、前記第１実施態様と同様に大きな構成要素としては、メガネ（３）を収納するケース本体（１）と収納されたメガネ（３）の抜けを防止するメガネ固定バンド（２）とから成るものである。
【００２０】
本発明の第２実施態様のメガネ収納ケース（Ａ）において、ケース本体（１）は、幅方向にみて、即ち、収納されたメガネ（３）の左右レンズ（３０、３０）に注目し、その左右の方向にみて、幅方向中央部の断面形状が図５に示されるようにほぼ「Ｊ」を逆にした形状（以下、逆Ｊ字型という。）のメガネ収納部（収納スペース）を形成するように、前枠部（１１）と後枠部（１２）が上部開口部（Ｏ）（図６参照）を除いて連接された構造のものである。
なお、前記ケース本体（１）の前枠部（１１）は、幅方向中央部に凹部（１１１）を有するものである（図４参照）。本発明のケース本体（１）は、後述する実施態様に示されるように、このような凹部（１１１）を有する形状のものに限定されない。
【００２１】
本発明のメガネ収納ケース（Ａ）における大きな特徴点は、軽量化、コンパクト化の要請のために、前枠部（１１）と後枠部（１２）の高さ（ｄ１　、ｄ２　）（図４〜図５参照）は、（ｄ１　）＞（ｄ２　）の関係が成立するように設定される点にある。
前記第２実施態様のメガネ収納ケース（Ａ）において、図４〜図５に示されるように、
１）．前枠部（１１）の高さ（ｄ１　）は、収納されるメガネ（３）の左右レンズ（３０、３０）の損傷を防止するためにほぼ左右レンズを収容する高
さに設定され、一方、
２）．後枠部（１２）の高さ（ｄ２　）は、（ｄ１　）＞（ｄ２　）の関係を維持し、かつ、折畳まれたメガネ（３）のテンプル（３３）の部位の一部を覆う高さに設定されている。
即ち、後者の後枠部（１２）の高さ（ｄ２）　は、より具体的には図４〜図５に示されるように、収納されたメガネ（３）のテンプル（３３）の先端部の少なくとも先セル（３３１）の部分を覆う高さに設定されている。
【００２２】
本発明の前記第２実施態様のメガネ収納ケース（Ａ）において、ケース本体（１）は、従来のメガネ全体を包囲（外包）して収納する形式のものではなく、前枠部（１１）と後枠部（１２）の構成、収納上部の開口部（Ｏ）という構成により、更にはケース本体（１）を合成樹脂製とすることにより、軽量化、コンパクト化の要請を十分に満足することができるものである。
【００２３】
図３〜図６に示されるように、本発明の第２実施態様のメガネ収納ケース（Ａ）において、収納されたメガネ（３）を安定的に収納し、かつ抜けを防止するためにメガネ固定バンド（２）が配設される。
【００２４】
本発明の第２実施態様のメガネ収納ケース（Ａ）におけるメガネ固定バンド（２）は、図５に示されるようにケース本体（１）に一体的に形成された一体型のものである。
前記ケース本体（１）に一体型のメガネ固定バンド（２）は、ケース本体（１）を合成樹脂製とするときはケース本体（１）の射出成形などの成形時に容易に一体化することができる。
前記メガネ固定バンド（２）の端部は、図５に示されるように、後枠部（１２）の表面に配設された所望構造の係止具あるいは固定具（２１）により固定され、収納されたメガネ（３）を確実に収納し、かつ、抜けを防止する。
【００２５】
図７は、本発明の第３実施態様のメガネ収納ケース（Ａ）を説明する図であり、前記第２実施態様に関する図４に対応する図である。
第３実施態様のメガネ収納ケース（Ａ）の大きな特徴点は、前記第２実施態様のものと比較して、
１）．後枠部（１２）の高さ（ｄ２　）を、メガネ（３）のテンプル（３３）の部位の全体を覆う高さに設定し、メガネ（２）の収納及び保持性をより確実にした点、及び、
２）．図７の「Ｓ」で示されるように、ケース本体（１）の構造強度を高めるために、前枠部（１１）と後枠部（１２）の間にスペーサ（Ｓ）を配設した点、にある。
なお、第３実施態様において、ケース本体（１）の前枠部（１１）は、その幅方向中央部に前記第１実施態様の凹部（１１１）を有していない構造のものである。本発明において、凹部（１１１）などはメガネの形状などから所望に配設すればよいものである。
【００２６】
図８は、本発明の第４実施態様のメガネ収納ケース（Ａ）を説明する図であり、前記第２実施態様に関する図５に対応する図である。
第４実施態様のメガネ収納ケース（Ａ）の大きさは特徴点は、前記第２実施態様のものと比較して、
１）．ケース本体（１）の前枠部（１１）に凹部（１１１）を配設しない点、
２）．前枠部（１１）に別体のメガネ固定バンド（２）をハトメ（２２）により配設している点、
３）．前枠部（１１）と後枠部（１２）の間にスペーサ（Ｓ）を誇設している点、にある。
なお、本発明において、別体としてのメガネ固定バンド（２）の前枠部（１１）の所定部位の配設態様は、特段に制約を受けるものでなく、前記したハトメ（２２）や接着、溶着など所望の態様を採用すればよい。
【００２７】
図９は、本発明の第５実施態様のメガネ収納ケース（Ａ）を説明する図であり、前記２実施態様に関する図５に対応する図である。
第５実施態様のメガネ収納ケース（Ａ）の大きな特徴点は、前記第２実施態様のものと比較して、
１）．ケース本体（１）の前枠部（１１）の裏面側の部位に、即ち、ケース本体（１）内に収納されたメガネ（３）の左右レンズ（３０、３０）の表面が前枠部（１１）の裏面に接する部位に、左右レンズ（３０、３０）の損傷を防止するためにパッド（緩衝片）（１３）を貼着している点、にあ
る。
【００２８】
図１０〜図１１は、本発明の第６実施例のメガネ収納ケース（Ａ）を説明する図であり、図１０は前記第２実施態様に関する図５に対応し、かつ、図１１は前記第２実施態様に関する図６に対応する図である。
第６実施態様のメガネ収納ケース（Ａ）の大きな特徴点は、
１）．前枠部（１１）、後枠部（１２）、及びスペーサ（Ｓ）が一体に成形されていること、
２）．メガネ固定バンド（２）が前枠部（１１）の内側に固着されていること、にある。
なお、図１１において参照番号（１４）は、ケース本体（１）の底部に配設された凹部を示している。前記凹部（１４）は、メガネ（３）の左右レンズ（３０、３０）の安定的な収納に寄与する。
【００２９】
図１２〜図１３は、本発明の第７実施態様のメガネ収納ケース（Ａ）を説明する図である。
図１２は前記第２実施態様に関する図５に対応する図（ケース本体の幅方向略中央部の断面図）であり、また、図１３は使用態様を説明する図である。なお、図示明確化のため、一部の部材のハッチングを省略してある。
本発明の第７実施態様のメガネ収納ケース（Ａ）は、ケース本体（１）が、その底部（ケース本体の幅方向略中央部の底部）に凹部（１４）を有するもので構成され、前記凹部（１４）によりメガネ（３）の左右レンズ（３０、３０）は安定的に収納される。
【００３０】
本発明の第７実施態様のメガネ収納ケース（Ａ）の大きな特徴点は、図示されるように、メガネ固定バンド（２）の配設態様にある。即ち、後枠部（１２）の底部に穿設した穴部（１２１）を利用してバンド（２）の一端部を後枠部（１２）に一周させて後枠部（１２）の底部でバンド（２）の本体部にハトメ（２２）で固定するとともに、他端部を後枠部（１２）の底部から前枠部（１１）の上部を通り、再び後枠部（１２）に至るようにバンド（２）をケース本体（１）の全周に亘り周設させている点に特徴がある。
本発明において、周設されたメガネ固定バンド（２）の他端部の後枠部（１２）での固定（２１）は、所望の固定方式を採用すればよい。
【００３１】
本発明の第７実施態様のメガネ収納ケース（Ａ）は、前記した配設態様のメガネ固定バンド（２）を有するため、図１３に示されるように、ケース本体（１）の前枠部（１１）とベルトを接するようにし、かつ、ベルトの裏面側を通ってバンド（２）を周設するようにしてメガネ収納ケース（Ａ）を身体に装着させることができる。
前記したメガネ収納ケース（Ａ）の身体への装着は、ズボンやパンツのベルト通しを利用しても行うことができる。
【００３２】
図１４は、本発明の第８実施態様のメガネ収納ケース（Ａ）を説明する図であり、前記図１２に対応する図である。
第８実施態様のメガネ収納ケース（Ａ）は、前記第７実施態様のものの変形例である。第８実施態様が前記第７実施態様と比較して異なる点は、メガネ固定バンド（２）の周設方式であり、一端部を後枠部（１２）に固着（２３）し、他端部を後枠部（１２）の底部から前枠部（１１）の上部を通り、再び後枠部（１２）の上部に周設し、固定具（２１）により固定する方式に変更している。バンド（２）の一端部と後枠部（１２）の固着（２３）は所望に行えばよく、接着や溶着など所望の方式で固着すればよい。
【００３３】
前記第７〜第８実施態様のメガネ収納ケース（Ａ）には、種々の変形例が可能である。例えばメガネ固定バンド（２）の周設態様を、ケース本体（１）の前枠部（１１）から後枠部（１２）の方向へ周設し、固定してもよい。また、メガネケース（１）は、その底部に凹部（１４）をもたないもので構成してもよい。
【００３４】
図１５は、本発明の第９実施態様のメガネ収納ケース（Ａ）を説明する図（斜視図）である。
本発明のメガネ収納ケース（Ａ）は、軽量化、コンパクト化の要請のために薄く小型で携帯性に優れるように構成されるため、少し大きめの別のハードケース（Ｂ）内に収納させることができるものである。この場合、ハードケース（Ｂ）によりメガネは十分に損傷などから保護されることはいうまでもない。
本発明のメガネ収納ケース（Ａ）は、前記したように少し大きめの別のハードケース（Ｂ）内に収納させてメガネを損傷などから保護してもよいが、例えばメガネ収納ケース（Ａ）の所望部位に落下防止用のストラップの一端部を固定するための穴部を配設し、該ストラップによる落下防止によりメガネの損傷を保護するようにしてもよい。
【００３５】
図１６は、本発明の第１０実施態様のメガネ収納ケース（Ａ）を説明する図（斜視図）である。
本発明のメガネ収納ケース（Ａ）は、上着やワイシャツなどのポケットに入れたとき、ポケット内からズリ落ちるのを防止するために、ポケットに固定するためのクリップ（４）を配設してもよいものである。
【００３６】
【発明の効果】
本発明のメガネ収納ケース、特に合成樹脂製のメガネ収納ケースは、従来の折畳まれたメガネの全体を包囲（外包）して収納するタイプのものと比較して軽量化、コンパクト化に優れているとともに、省資源性、経済性に優れている。
本発明のメガネ収納ケースは、収納されたメガネを確実に保持し、抜け防止が完全であり、軽量小型で携帯性に優れており、かつ、上着などのポケットへの出し入れが容易であるとともにポケット装入時に嵩張らないなどという利点があるため、その意義は大きい。
【図面の簡単な説明】
【図１】本発明の第１実施態様のメガネ収納ケース（Ａ）の斜視図である。
【図２】本発明の第１実施態様のメガネ収納ケース（Ａ）の幅方向中央部の断面図である。
【図３】本発明の第２実施態様のメガネ収納ケース（Ａ）にメガネを収納したときの詳細な背面側正面図である。
【図４】本発明の第２実施態様のメガネ収納ケース（Ａ）のメガネを収納したときの前記メガネの一部を省略した背面側正面図である。
【図５】図４のＩ−Ｉ線断面図である。
【図６】本発明の第２実施態様のメガネ収納ケース（Ａ）の背面側斜視図である。
【図７】本発明の第３実施態様のメガネ収納ケース（Ａ）の背面側正面図であり、図４に対応する図である。
【図８】本発明の第４実施態様のメガネ収納ケース（Ａ）の断面図であり、図３に対応する図である。
【図９】本発明の第５実施態様のメガネ収納ケース（Ａ）の断面図であり、図５に対応する図である。
【図１０】本発明の第６実施態様のメガネ収納ケース（Ａ）の断面図であり、図５に対応する図である。
【図１１】本発明の第６実施態様のメガネ収納ケース（Ａ）の背面側斜視図であり、図６に対応する図である。
【図１２】本発明の第７実施態様のメガネ収納ケース（Ａ）の断面図であり、図５に対応する図である。
【図１３】本発明の第７実施態様のメガネ収納ケース（Ａ）の使用態様を説明する図である。
【図１４】本発明の第８実施態様のメガネ収納ケース（Ａ）の断面図であり、図１２に対応する図である。
【図１５】本発明の第９実施態様のメガネ収納ケース（Ａ）を説明する図である。
【図１６】本発明の第１０実施態様のメガネ収納ケース（Ａ）を説明する図である。
【図１７】本発明のメガネ収納ケース（Ａ）に収納される第一例のメガネ（３）の一部を省略した斜視図である。
【図１８】本発明のメガネ収納ケース（Ａ）に収納される第二例のメガネ（３）の一部を省略した斜視図である。
【符号の説明】
Ａ　　…………　メガネ収納ケース
１　　…………　ケース本体（メガネ収納部）
１１　…………　前枠部
１２　…………　後枠部
１３　…………　パッド（緩衝片）
１４　…………　凹部
２　　…………　メガネ固定バンド
２１　…………　係止具
２２　…………　ハトメ
Ｏ　　…………　開口部
Ｓ　　…………　スペーサ
３　　…………　メガネ
３０、３０　…………　左右レンズ
３１、３１　…………　左右レンズ固定フレーム
３２　…………　ブリッジ
３３、３３　…………　テンプル
３３１、３３１　…………　先セル
３４、３４　…………　鼻当パッド
４　　　　　…………　クリップ
【図１】
2004081811.tif 000003
【図２】
2004081811.tif 000004
【図３】
2004081811.tif 000005
【図４】
2004081811.tif 000006
【図５】
2004081811.tif 000007
【図６】
2004081811.tif 000008
【図７】
2004081811.tif 000009
【図８】
2004081811.tif 000010
【図９】
2004081811.tif 000011
【図１０】
2004081811.tif 000012
【図１１】
2004081811.tif 000013
【図１２】
2004081811.tif 000014
【図１３】
2004081811.tif 000015
【図１４】
2004081811.tif 000016
【図１５】
2004081811.tif 000017
【図１６】
2004081811.tif 000018
【図１７】
2004081811.tif 000019
【図１８】
2004081811.tif 000020